(57)【要約】【課題】  第１のスクラッチ再生が終了した時間のオーディオデータに戻ることができ、第１のスクラッチ再生と同じ効果音を第２のスクラッチ再生で行うことができる光ディスク再生装置を提供することを目的とする。【解決手段】  操作部を回転駆動する駆動部と、駆動部により回転駆動される操作部の回転速度及び回転方向を検出して回転検出信号を発生する回転検出部と、記憶部から読み出されたオーディオデータをフレーム単位毎に検出してフレーム検出信号を発生するフレーム検出部と、回転検出信号の発生した回数及び前記フレーム検出信号の発生した回数に応じて、駆動部に印加する電圧を制御する電圧制御部とを備える。【選択図】  図１
2005108290.tif 000002
【特許請求の範囲】
【請求項１】
光ディスクに記録されたオーディオデータを再生する再生部と、前記再生部が再生したオーディオデータを記憶する記憶部と、前記記憶部に記憶されたオーディオデータの読み出し速度及び読み出し順序を指示する操作部と、前記操作部の指示により前記記憶部に記憶されたオーディオデータを読み出す制御をする制御部とを備えた光ディスク再生装置において、
前記操作部は、操作円盤部と前記操作円盤部を載置する円盤部とを備え、前記円盤部を回転駆動する駆動部と、前記操作円盤部の回転速度及び回転方向を検出して回転検出信号を発生する回転検出部と、前記記憶部から読み出されたオーディオデータをフレーム単位毎に検出してフレーム検出信号を発生するフレーム検出部と、前記回転検出信号の発生した回数及び前記フレーム検出信号の発生した回数に応じて、前記駆動部に印加する電圧を制御する電圧制御部とを備えることを特徴とする光ディスク再生装置。
【請求項２】
請求項１記載の光ディスク再生装置において、
前記電圧制御部は、前記回転検出信号の発生数が前記フレーム検出信号の発生した回数より多くなると、前記駆動部に印加する電圧を下げる制御をし、前記回転検出信号の発生した回数が前記フレーム検出信号の発生数より少なくなると、前記駆動部に印加する電圧を上げる制御をすることを特徴とする光ディスク再生装置。
【発明の詳細な説明】
【技術分野】
【０００１】
本発明は、光ディスクから再生したオーディオデータをメモリに記憶し、メモリに記憶したオーディオデータの読み出し速度及び読み出し順序を変えることができる光ディスク再生装置に関する。
【背景技術】
【０００２】
光ディスク再生装置を操作してオーディオデータを再生するディスクジョッキー（DJ、Disc Jockey）は、アナログレコード又はコンパクトディスク（CD、Compact Disc）等の光ディスクに記録されたオーディオデータを再生している最中に、擦れ音のような効果音を発生させるスクラッチ再生と呼ばれる特殊再生を行うことがある。DJは、アナログレコードプレーヤを用いてスクラッチ再生を行う場合、アナログレコードを素早く時計回り方向又は反時計回り方向に回すことにより擦れ音を発生させる。また、このアナログレコードプレーヤによるスクラッチ再生と同様の特殊再生を行うことが可能なDJ用CDプレーヤがある。このDJ用CDプレーヤは、ジョグダイヤルとメモリを備え、CDから再生したオーディオデータをメモリに記憶し、ジョグダイヤルを時計回り方向又は反時計回り方向に回転することにより、メモリに記憶されたオーディオデータの読み出し速度と読み出し順序を制御し、アナログレコードによる擦れ音と同等の効果音を発生させる。このように、DJは、CDに記録されたオーディオデータをDJ用CDプレーヤにより再生しているとき、ジョグダイヤルをアナログレコードと同じように回転操作して、アナログレコードと同様のスクラッチ再生等の特殊再生を行うことができる（例えば、特許文献１参照。）。
【０００３】
また、本出願人は、CDに記録されたオーディオデータの再生を開始すると、ジョグダイヤル部（操作円盤部と円盤部）が予め定められた速度で回転し、操作円盤部と円盤部が同じ回転速度及び回転方向で回転しているとき、標準速度でオーディオデータを再生し、この操作円盤部を円盤部と独立して正方向又は逆方向に回転操作することにより、アナログレコードプレーヤと同様のスクラッチ再生等の特殊再生を行うことができる光ディスク再生装置を先に提案した（特願２００２−１５３５１４号）。
【０００４】
図５は、特願２００２−１５３５１４号の特許出願図面に記載された光ディスク装置のジョグダイヤル部の側断面を示す図である。
オーディオデータの再生を開始すると、モータ５１は、予め定められた速度で回転する。モータ５１が回転しDJが操作円盤部５３に触れていないとき、円盤部５２及び操作円盤部５３は、同じ速度で回転する。また、DJが操作円盤部５３を操作する場合、スリップマット５８により、操作円盤部５３は、円盤部５２と独立して回転する。第１センサ部５４は、円盤部５２に設けられたスリット部５５の開口部を検出し、円盤部５２の回転状態（回転速度及び回転方向）に応じた第１パルス信号を発生し、図示しない制御部に入力する。第２センサ部５６は、操作円盤部５３に設けられたスリット部５７の開口部を検出し、操作円盤部５３の回転状態（回転速度及び回転方向）に応じた第２パルス信号を発生し制御部に入力する。制御部は、入力される第１パルス信号と第２パルス信号から、円盤部５２と操作円盤部５３が同じ回転状態であるか否かを判別する。制御部は、円盤部５２と操作円盤部５３が同じ回転状態であることを判別すると、オーディオデータが記憶されたメモリから標準速度でオーディオデータを読み出す制御をする。
【０００５】
DJは、回転している操作円盤部５３を時計回り方向又は反時計回り方向に回転操作することによりスクラッチ再生を行う。制御部は、円盤部５２と操作円盤部５３が同じ回転状態でないことを判別すると、入力される第２パルス信号から操作円盤部５３の回転速度及び回転方向を判別し、判別した回転速度及び回転方向に応じて、メモリに記憶されたオーディオデータの読み出し速度及び読み出し順序（オーディオデータを昇順アドレス又は降順アドレスで読み出す）を制御する。
【０００６】
上述した円盤部５２及び操作円盤部５３を備えたDJ用CDプレーヤが、例えば、１分間に３０回転するモータ５１を備えている場合、DJが操作円盤部５３を１回転させると、制御部が判別した操作円盤部５３の回転速度及び回転方向でメモリから２秒間分のオーディオデータを読み出す制御をする。
【０００７】
DJは、このDJ用CDプレーヤの操作円盤部５３を操作して、第１のスクラッチ再生を行い、その後、標準速度でオーディオデータを再生し、さらに、標準速度での再生の後、第１のスクラッチ再生が終了した時間のオーディオデータに戻る場合、標準速度での再生の間、操作円盤部５３の第１のスクラッチ再生終了位置（回転位置）からの操作円盤部５３の回転数を数え、標準再生速度での再生を終了した位置（回転位置）から数えた回転数だけ操作円盤部５３を逆方向（モータ５１の回転方向と逆の回転方向）に回転させる操作をする。例えば、第１のスクラッチ再生終了後に標準速度でオーディオデータを１０秒間再生すると、操作円盤部５３は５回転するので、DJは、標準再生速度での再生を終了した位置から逆方向に操作円盤部５３を５回転することにより、第１のスクラッチ再生が終了した位置に戻ることができる。このため、DJは、第１のスクラッチ再生と同じ効果音を第２のスクラッチ再生で出力することができる。
【０００８】
DJ用CDプレーヤに安価な回転精度が低いモータを用いて円盤部５２及び操作円盤部５３を回転駆動させると、円盤部５２及び操作円盤部５３は、モータの回転精度により回転速度が変化し、回転数に偏差が生じる。このDJ用CDプレーヤは、円盤部５２と操作円盤部５３の回転状態が一致している場合、基準のクロックでメモリに記憶されたオーディオデータを標準速度で読み出すため、回転精度の低いモータを使用しても標準速度の再生には影響がない。しかしながら、このような回転精度の低いモータを使用した場合、次のような問題点がある。例えば、第１のスクラッチ再生終了後に標準速度でオーディオデータを１０秒間再生した場合、モータの回転精度が低いと操作円盤部５３の回転数は、５回転より増減した回転数（例えば、４．５や５．５。）となる。
【０００９】
例えば、操作円盤部５３の回転数が４．５である場合、DJは、第１のスクラッチ再生が終了した時間のオーディオデータに戻す操作をするために、操作円盤部５３を逆方向に４．５回転させる。制御部は、操作円盤部５３が逆方向に１回転されると、メモリから降順アドレスで２秒間のオーディオデータを読み出す制御をするので、操作円盤部５３を逆方向に４．５回転させると、メモリから降順アドレスで９秒間のオーディオデータを読み出す制御をする。したがって、DJ用CDプレーヤは、９秒前のオーディオデータから再生を開始し、第１のスクラッチ再生を終了した時間のオーディオデータ（１０秒前のオーディオデータ）と異なるオーディオデータを再生することになる。
【００１０】
【特許文献１】特開平１１−８６４４６号公報
【発明の開示】
【発明が解決しようとする課題】
【００１１】
本発明は、本出願人が先に提案した光ディスク再生装置を更に改良し、モータの回転精度が低いために円盤部及び操作円盤部の回転数に偏差が生じた場合においても、第１のスクラッチ再生が終了した時間のオーディオデータに戻ることができ、第１のスクラッチ再生と同じ効果音を第２のスクラッチ再生で出力することができる光ディスク再生装置を提供することを目的とする。
【課題を解決するための手段】
【００１２】
上記の課題を解決するために、本願の請求項１記載の発明は、光ディスクに記録されたオーディオデータを再生する再生部と、前記再生部が再生したオーディオデータを記憶する記憶部と、前記記憶部に記憶されたオーディオデータの読み出し速度及び読み出し順序を指示する操作部と、前記操作部の指示により前記記憶部に記憶されたオーディオデータを読み出す制御をする制御部とを備えた光ディスク再生装置において、前記操作部は、操作円盤部と前記操作円盤部を載置する円盤部とを備え、前記円盤部を回転駆動する駆動部と、前記駆動部により回転駆動される前記操作円盤部の回転速度及び回転方向を検出して回転検出信号を発生する回転検出部と、前記記憶部から読み出されたオーディオデータをフレーム単位毎に検出してフレーム検出信号を発生するフレーム検出部と、前記回転検出信号の発生数及び前記フレーム検出信号の発生数に応じて、前記駆動部に印加する電圧を制御する電圧制御部とを備えることを特徴とする。
【００１３】
また、本願の請求項２記載の発明は、請求項１記載の光ディスク再生装置において、前記電圧制御部は、前記回転検出信号の発生数が前記フレーム検出信号の発生数より多くなると、前記駆動部に印加する電圧を下げる制御をし、前記回転検出信号の発生数が前記フレーム検出信号の発生数より少なくなると、前記駆動部に印加する電圧を上げる制御をすることを特徴とする。
【発明の効果】
【００１４】
本発明によれば、円盤部及び操作円盤部の回転数に偏差が生じた場合においても、第１のスクラッチ再生が終了した時間のオーディオデータに戻ることができ、第１のスクラッチ再生と同じ効果音を第２のスクラッチ再生で出力することができる。
【発明を実施するための最良の形態】
【００１５】
以下、本発明の実施の形態を図面に基づいて説明する。
図１は、本発明の一実施例である光ディスク再生装置の構成を示すブロック図である。図１において、１はターンテーブル、２はスピンドルモータ、３はサーボ制御部、４は光ピックアップ、５は再生アンプ、６は信号処理部、７はメモリ制御部、８はRAM（Random Access Memory）、９はフレーム検出部、１０は、DAC（Digital to Analog Converter）、１１は出力端子、１２は制御部、１３は表示部、１４は操作部、１５は電圧制御部を示す。本発明の一実施例である光ディスク再生装置は、操作部１４に読出指示部としてのジョグダイヤル部を備え、ジョグダイヤル部の回転速度及び回転方向に応じて、CDから再生しRAM８に記憶されたデジタルオーディオデータの読み出し速度及び読み出し順序を変えることができるDJ用のCDプレーヤである。
【００１６】
スピンドルモータ２に固定されたターンテーブル１は、CDを固定する。操作部１４から再生開始の指示が入力されると、サーボ制御部３は、スピンドルモータ２を所定の線速度で回転駆動させる制御をする。また、サーボ制御部３は、光ピックアップ４からのレーザ光をCDのピット列を正しくトレースするために、図示しないフォーカスサーボ回路とトラッキングサーボ回路を制御する。
【００１７】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等をしてデジタルオーディオデータをメモリ制御部７に入力する。メモリ制御部７は、入力されたデジタルオーディオデータをRAM８に入力するよう制御する。RAM８は、入力されたデジタルオーディオデータを記憶する。RAM８が記憶したデジタルオーディオデータは、メモリ制御部７の制御により読み出され、メモリ制御部７に備えられたフレーム検出部９に入力される。
【００１８】
フレーム検出部９は、RAM８から入力されるデジタルオーディオデータをフレーム単位で検出し、１フレームを検出する毎にフレーム検出信号を発生し、当該フレーム検出信号を電圧制御部１５に入力する。CDに記録されたオーディオデータのサンプリング周波数が44.1kHzである場合、１秒分のデジタルオーディオデータは４４１００サンプルとなり、１フレーム（1/75秒）では、５８８サンプルとなる。フレーム検出部９は、５８８サンプルのデジタルオーディオデータを検出する毎に、フレーム検出信号を発生する。DAC１０は、フレーム検出部９から入力されたデジタルオーディオデータをアナログオーディオ信号に変換する。DAC９により変換されたアナログオーディオ信号は、出力端子１１から出力される。
【００１９】
表示部１３は、現在再生しているトラックの再生時間、トラックナンバー等を表示する。操作部１４は、ジョグダイヤル部、再生ボタン、再生停止ボタン、トラックサーチボタン、早送りボタン、早戻しボタン、イジェクトボタンを備えている。
【００２０】
図２は、本発明の一実施例であるCDプレーヤの操作部１４が備えるジョグダイヤル部の側断面を示す図である。図２において、２１はパネル、２２はモータ、２３は回転軸、２４はプーリ、２５はプーリ部、２６はベルト、２７は円盤部、２８はプーリ部、２９はシート部、３０は操作円盤部、３１は保持部、３２は回転軸、３３は第２光センサ部、３４はスケール保持部、３５はスケール部、３６は第１光センサ部、３７はスケール保持部、３８はスケール部、３９はワッシャー、４０はネジ、４１は軸受け、４２はEリング、４３は凸部、４４は凹部、４５は軸受け、４６は軸受けを示す。本実施例のCDプレーヤでは、操作円盤部３０は、直径１０cm〜３０cmのアナログレコードと同等の大きさの円盤であり、ジョグダイヤル部は、CDプレーヤの上面に取り付けられている。
【００２１】
本実施例のCDプレーヤは、パネル２１にモータ２２がネジ４０で取り付けられている。パネル２１は、軸受け４１をインサート成形、すなわち一体成形（以下同じ）により形成している。モータ２２の回転軸２３には、プーリ２４が取り付けられている。モータ２２の回転軸２３に取り付けられたプーリ２４のプーリ部２５と円盤部２７のプーリ部２８にベルト２６が掛けられている。
【００２２】
円盤部２７の回転状態を検出するためのスケール部３８は、円盤部２７の裏面に取り付けられたスケール保持部３７にネジ４０で固定されている。第１光センサ部３６は、ネジ４０でパネル２１に固定されている。また、スケール保持部３７は、軸受け４５と一体成形により形成されている。スケール保持部３７は、パネル２１の軸受け４１に挿入され、Ｅリング４２により保持されている。円盤部２７の裏面には、上述したプーリ部２８が環状に設けられている。
【００２３】
操作円盤部３０の保持シャフトである回転軸３２には、軸受け４６が一体成形により形成されている。回転軸３２は、パネル２１の軸受け４１にワッシャー３９を介して挿入され保持されている。
【００２４】
操作円盤部３０の回転状態を検出するためのスケール部３５は、スケール保持部３４にネジ４０で固定されている。スケール保持部３４は、ワッシャー３９を介して回転軸３２に挿入されている。第２光センサ部３３は、ネジ４０でパネル２１に固定されている。シート部２９は、円盤部２７の上面に載置されている。このシート部２９は、摩擦係数が小さく、静電気が発生しにくいプラスチックまたはプラスチック繊維からなる。操作円盤部３０は、シート部２９の上面に載置されている。保持部３１は、操作円盤部３０の上面に載置されており、保持部３１に設けられた凹部４４に操作円盤部３０に設けられた凸部４３を挿入することにより、シート部２９及び操作円盤部３０を保持する。したがって、DJの回転操作による操作円盤部３０の回転状態は、回転軸３２を介して、スケール保持部３４に取り付けられたスケール部３５に伝達され、操作円盤部３０とスケール部３５は一体的に回転する。また、操作円盤部３０の回転状態を目視により確認するために、操作円盤部３０又は保持部３１には、回転位置を示す目印が設けられている。
【００２５】
第２光センサ部３３は、操作円盤部３０と一体的に回転するスケール部３５の
回転状態（回転角度及び回転方向）を検出するために、光センサa及び光センサbから構成され、スケール部３５のスリット部を検出できるようにパネル２１の裏面に固定されている。また、第１光センサ部３6は、円盤部２７と一体的に回転するスケール部３８の回転状態（回転角度及び回転方向）を検出するために、第２光センサ部３３と同様に２つの光センサから構成され、スケール部３８のスリット部を検出できるようにパネル２１の上面に固定されている。
【００２６】
スケール部３５の外周部には、等間隔に長方形状のスリット部が設けられている。スケール部３５の材質が金属の場合、スリット部は、長方形状の開口部にする。しかし、開口部の形状は、長方形に限られるものではなく、適宜の形状でよい。また、スケール部３５として材質が透明又は半透明のプラスチックなどが用いられている場合は、スリット部を印刷によって形成する。この場合、スリット部の印刷塗料にカーボンを含ませると、第２光センサ部３３によるスリット部を検出する精度が向上する。また、スケール部３８は、スケール部３５と同様にその外周部に等間隔に長方形状のスリット部が設けられている。
【００２７】
第１光センサ部３６は、スケール部３８のスリット部を検出し、円盤部２７の回転状態に応じた第１パルス信号を発生し、制御部１２に入力する。第２光センサ部３３は、スケール部３５のスリット部を検出し、操作円盤部３０の回転状態に応じた第２パルス信号を発生し制御部１２に入力するとともに、電圧制御部１５に入力する。
【００２８】
電圧制御部１５は、図示しない電源部からモータ２２に印加する電圧を制御する。また、電圧制御部１５は、上述したフレーム検出部９から入力されるフレーム検出信号と第２光センサ部３３から入力される第２パルス信号のパルスをそれぞれカウントする図示しないカウンタ部を備え、フレーム検出信号のカウント数と第２パルス信号のパルスのカウント数に応じて、モータ２２に印加する電圧を制御する。
【００２９】
制御部１２は、第１光センサ部３６から入力される第１パルス信号と第２光センサ部３３から入力される第２パルス信号から、円盤部２７と操作円盤部３０が同一の回転状態であるか否かを判別する。制御部１２は、円盤部２７と操作円盤部３０が同一の回転状態のとき、標準速度での再生と判断しメモリ制御部７を制御して、RAM８に記憶されたデジタルオーディオデータを標準速度に対応したクロックで読み出す制御をする。制御部１２は、円盤部２７と操作円盤部３０が同一の回転状態でないことを判別すると、第２光センサ部３３から入力される第２パルス信号に応じた読み出す速度及び方向で、RAM８に記憶されたデジタルオーディオデータを読み出すようメモリ制御部７を制御する。また、制御部１２は、電圧制御部１５にフレーム検出信号と第２パルス信号のパルスのカウントを開始及び停止する制御をし、また、電圧制御部１５がカウントしたフレーム検出信号及び第２パルス信号のパルスのカウント数をゼロにリセットする制御をする。
【００３０】
本実施例のCDプレーヤは、CDに記録されたオーディオデータを再生する場合、円盤部２７の回転数が１分間にアナログレコードプレーヤの再生時におけるターンテーブルの回転数と同じ（33＋1/3）回転となるようにモータ２２の回転数を決める。モータ２２の駆動力は、プーリ部２５とプーリ部２８にかけられているベルト２６に伝達されて円盤部２７が回転することにより、シート部２９、操作円盤部３０、スケール部３５及びスケール部３８は、円盤部２７と同じ速度で回転する。ここで、操作円盤部３０は、円盤部２７の回転に追従できるように表面積を大きくし、材質、厚みを調整することにより、載置されているシート部２９が小さい摩擦係数であっても、円盤部２７と同じ回転速度で回転するように、自重と慣性モーメントが設計されている。モータ２２の回転方向は、アナログレコードプレーヤのターンテーブルの回転方向（時計回り方向）と同じ方向である。このため、本実施例のCDプレーヤでは、アナログレコードを用いてスクラッチ再生等の特殊再生を行う操作と同様の操作をすることができる。
【００３１】
本実施例のCDプレーヤを用いて、スクラッチ再生を行う場合、DJは、手で操作円盤部３０を素早く正方向又は逆方向に回転させる操作を繰り返す。制御部１２は、第２光センサ部３３の光センサa及び光センサbから入力される第２パルス信号から、操作円盤部３０の回転速度及び回転方向を判別する。制御部１２は、判別した回転速度及び回転方向に応じて、メモリ制御部７を制御する。メモリ制御部７は、RAM８に記憶されたデジタルオーディオデータの読み出し速度及び読み出し順序（デジタルオーディオデータを昇順アドレスで読み出す、または、降順アドレスで読み出す）を制御する。RAM８から読み出されたデジタルオーディオデータは、フレーム検出部９を介してDAC１０によりアナログオーディオ信号に変換され出力端子１１から出力される。
【００３２】
図３及び図４は、本発明の一実施例のCDプレーヤの第１のスクラッチ再生が終了した位置に戻る操作をしたときの動作について説明するフローチャートである。本実施例のCDプレーヤでは、操作円盤部３０が１回転するとき、第２光センサ部３３が１３５パルスの第２パルス信号を発生し、第２パルス信号の１パルスでRAM８に記憶された１フレーム分のデジタルオーディオデータを読み出すものとして説明する。
【００３３】
図３のステップ１は、円盤部２７及び操作円盤部３０が同一の速度で回転し、標準速度でオーディオデータを再生しているとき、操作円盤部３０を回転操作し、第１のスクラッチ再生の操作がされたか否かを制御部１２が判別するステップである。第１のスクラッチ再生の操作がされた場合はステップ２に進む。
【００３４】
ステップ２は、制御部１２が第２光センサ部３３から入力される第２パルス信号に応じて、RAM８に記憶されたデジタルオーディオデータの読み出し速度及び方向を判別しメモリ制御部７を制御するステップである。制御部１２は、第２パルス信号の１パルスでRAM８に記憶された１フレーム分のデジタルオーディオデータを判別した読み出し順序で読み出す制御をする。また、制御部１２は、RAM８に現在読み出されているデジタルオーディオデータを含む所定時間内のデジタルオーディオデータが記憶されるように、サーボ制御部３を制御する。例えば、現在読み出されているデジタルオーディオデータを中心として、前後それぞれ６０秒分のデジタルオーディオデータが記憶される。
【００３５】
ステップ３は、スクラッチ再生が終了したか否かを制御部１２が判別するステップである。スクラッチ再生が終了した場合はステップ４に進む。制御部１２は、第１光センサ部３６から入力される第１パルス信号と第２光センサ部３３から入力される第２パルス信号から、円盤部２７と操作円盤部３０が同一の回転状態であることを判別することにより、スクラッチ再生が終了したことを判別する。
【００３６】
ステップ４は、電圧制御部１５がカウントしたフレーム検出信号のカウント数と第２パルス信号のパルスのカウント数をゼロにリセットする制御を制御部１２がするステップである。
【００３７】
ステップ５は、制御部１２が標準速度でのオーディオデータを再生する制御するステップである。制御部１２は、第１光センサ部３６から入力される第１パルス信号と第２光センサ部３３から入力される第２パルス信号から、円盤部２７と操作円盤部３０が同一の回転状態であること判別すると、標準速度でオーディオデータを再生する制御をする。
【００３８】
ステップ６は、標準でのオーディオデータの再生が開始すると、制御部１２が電圧制御部１５にフレーム検出信号と第２パルス信号のパルスのカウントをそれぞれ開始させる制御をするステップである。電圧制御部１５は、制御部１２の制御によりフレーム検出部９から入力されるフレーム検出信号と第２光センサ部３３から入力される第２パルス信号のパルスのカウントをそれぞれ開始する。
【００３９】
ステップ７は、図４に示すステップ８に進むステップである。
【００４０】
図４に示すステップ８は、電圧制御部１５がそれぞれカウントしているフレーム検出信号のカウント数と第２パルス信号のパルスのカウント数が等しいか否かを判別するステップである。フレーム検出信号のカウント数と第２パルス信号のパルスのカウント数が等しくない場合はステップ９に進む。フレーム検出信号のカウント数と第２パルス信号のパルスのカウント数が等しい場合はステップ１２に進む。
【００４１】
ここで、標準速度でのオーディオデータを再生しているとき、操作円盤部３０が１分間に（33＋1/3）回転するので、操作円盤部３０が１回転するのに要する時間は、１．８秒（１３５フレーム）である。したがって、標準速度でのオーディオデータを１．８秒再生する毎に、操作円盤部３０が１回転する。操作円盤部３０が１回転すると、第２光センサ部３３が１３５パルスの第２パルス信号を発生する。このため、本実施例では、標準速度でのオーディオデータを再生しているとき、単位時間当たりに発生する第２パルス信号のパルスとフレーム検出信号は、同じ発生回数となる。
【００４２】
したがって、ステップ８において、電圧制御部１５がカウントしているフレーム検出信号のカウント数と第２パルス信号のパルスのカウント数が等しいときは、円盤部２７及び操作円盤部３０の回転数に偏差が生じていないことを示す。一方、電圧制御部１５がカウントしているフレーム検出信号のカウント数と第２パルス信号のパルスのカウント数が等しくないときは、円盤部２７及び操作円盤部３０の回転数に偏差が生じていること示す。
【００４３】
ステップ９は、第２パルス信号のパルスのカウント数がフレーム検出信号のカウント数よりも多いか否かを電圧制御部１５が判別するステップである。電圧制御部１５は、それぞれカウントしているフレーム検出信号のカウント数と第２パルス信号のパルスのカウント数を比較する。フレーム検出信号のカウント数のほうが多い場合、つまり、偏差が生じたことにより円盤部２７及び操作円盤部３０の回転の速度が低くなった場合は、ステップ１０に進む。第２パルス信号のパルスのカウント数のほうが多い場合、つまり、偏差が生じたことにより円盤部２７及び操作円盤部３０の回転の速度が高くなった場合は、ステップ１１に進む。
【００４４】
ステップ１０は、電圧制御部１５がモータ２２に印加する電圧を上げるステップである。ステップ９において、電圧制御部１５は、円盤部２７及び操作円盤部３０の回転の速度が低くなったことを判別したので、モータ２２に印加する電圧を上げる制御をする。モータ２２に印加する電圧が上がると、モータ２２の回転数が上がるので、円盤部２７及び操作円盤部３０の回転の速度は高くなる。ステップ１０において、電圧制御部１５がモータ２２に印加する電圧を上げる制御をした後、ステップ８に進む。
【００４５】
ステップ１１は、電圧制御部１５がモータ２２に印加する電圧を下げるステップである。ステップ９において、電圧制御部１５は、円盤部２７及び操作円盤部３０の回転の速度が高くなったことを判別したので、モータ２２に印加する電圧を下げる制御をする。モータ２２に印加する電圧が下がると、モータ２２の回転数が下がるので、円盤部２７及び操作円盤部３０の回転の速度は低くなる。ステップ１１において、電圧制御部１５がモータ２２に印加する電圧を下げる制御をした後、ステップ８に進む。
【００４６】
ステップ８において、フレーム検出信号のカウント数と第２パルス信号のパルスのカウント数が等しい場合、つまり、円盤部２７及び操作円盤部３０の回転数に偏差が生じず、円盤部２７及び操作円盤部３０が１分間に（33＋1/3）回転する速度になっている場合はステップ１２に進む。
【００４７】
ステップ１２は、標準速度でのオーディオデータの再生を終了し、操作円盤部３０の回転操作がされたか否かを制御部１２が判別するステップである。ここで、DJは、第１のスクラッチ再生が終了した時間に戻るために、操作円盤部３０を反時計回り方向に回転操作する。このとき、DJは、操作円盤部３０を反時計回り方向に回転操作しているときに再生される音を出力させたくない場合、音量を下げる操作をする。操作円盤部３０の回転操作がされた場合はステップ１３に進む。操作円盤部３０の回転操作がされてない場合はステップ１５に進む。
【００４８】
ステップ１３は、ステップ１２において、DJが操作円盤部３０の回転操作を開始するときの再生時間に対応するRAM８に記憶されたデジタルオーディオデータを読み出す制御をするステップである。制御部１２は、DJが反時計回り方向に操作円盤部３０を回転操作するので、操作円盤部３０の回転速度に応じて、RAM８からデジタルオーディオデータを降順アドレスで読み出す制御をする。
【００４９】
ステップ１４は、図３に示すステップ２に進むステップである。
【００５０】
ステップ１５は、スクラッチ再生以外の操作がされたか否かを制御部１２が判別するステップである。制御部１２は、操作部１４のトラックサーチボタン、早送りボタン、早戻しボタンが押圧されたか否かを判別する。スクラッチ再生以外の操作がされた場合はステップ１６に進む。操作指示がされてない場合はステップ８に進む。
【００５１】
ステップ１６は、制御部１２が電圧制御部１５にフレーム検出信号と第２パルス信号のパルスのカウントをそれぞれ停止させる制御をするステップである。電圧制御部１５は、制御部１２の制御によりフレーム検出部９から入力されるフレーム検出信号と第２光センサ部３３から入力される第２パルス信号のパルスのカウントをそれぞれ停止する。
【００５２】
ステップ１７は、図３に示すステップ１に進むステップである。
【００５３】
本発明の一実施例であるCDプレーヤでは、第１のスクラッチ再生終了後から、操作円盤部３０が第１のスクラッチ再生が終了した回転位置に戻る操作開始までの間に、円盤部２７及び操作円盤部３０の回転数に生じた偏差を無くすように、モータ２２に印加する電圧を制御し、モータ２２の回転数を制御する。このため、円盤部２７及び操作円盤部３０は、標準速度でのオーディオデータを再生している期間、１分間に（33＋1/3）回転の速度で回転する。したがって、DJは、第１のスクラッチ再生が終了した時間のオーディオデータに戻ることができ、第１のスクラッチ再生と同じ効果音を第２のスクラッチ再生で出力することができる。
【図面の簡単な説明】
【００５４】
【図１】本発明の実施例であるCDプレーヤの構成を示すブロック図。
【図２】本発明の実施例であるCDプレーヤが備えるジョグダイヤル部の構成を示す図。
【図３】本発明の実施例であるCDプレーヤの第１のスクラッチ再生が終了した位置に戻る操作をしたときの動作について説明するフローチャート。
【図４】本発明の実施例であるCDプレーヤの第１のスクラッチ再生が終了した位置に戻る操作をしたときの動作について説明するフローチャート。
【図５】従来のジョグダイヤル部の側断面を示す図。
【符号の説明】
【００５５】
１…ターンテーブル、２…スピンドルモータ、３…サーボ制御部、４…光ピックアップ、５…再生アンプ、６…信号処理部、７…メモリ制御部、８…RAM、９…フレーム検出部、１０…DAC、１１…出力端子、１２…制御部、１３…表示部、１４…操作部、１５…電圧制御部、２１…パネル、２２…モータ、２３…回転軸、２４…プーリ、２５…プーリ部、２６…ベルト、２７…円盤部、２８…プーリ部、２９…シート部、３０…操作円盤部、３１…保持部、３２…回転軸、３３…第２光センサ部、３４…スケール保持部、３５…スケール、３６…第１光センサ部、３７…スケール保持部、３８…スケール、３９…ワッシャー、４０…ネジ、４１…軸受け、４２…Eリング、４３…凸部、４４…凹部、４５…軸受け、４６…軸受け、５１…モータ、５２…円盤部、５３…操作円盤部、５４…第１センサ部、５５…スリット部、５６…第２センサ部、５７…スリット部、５８…スリップマット
【図１】
2005108290.tif 000003
【図２】
2005108290.tif 000004
【図３】
2005108290.tif 000005
【図４】
2005108290.tif 000006
【図５】
2005108290.tif 000007